(57)【要約】      （修正有）【課題】公知の技術に改良を加え、ネットに取り付けて練習を効率的に行うためのテニス専用の区分表示布を提供する。【解決手段】テニスのシングル競技に使用されるネットの全長を三分割した長さを有し、且つダブルス競技におけるネットの全長をも、三分割した長さを呈するように折り込みによって可能とした着色された表示布３，４，５を、幅中心線から折り曲げてネット２の上縁部を頂部から両面を被覆し、複数の適宜所に備えられた係止手段で該ネットに着脱自在に設け、また、ネット全長を３分割した長さを呈する区分表示布は３枚用意され、其々が異なる色からなることを特徴としている。【選択図】図１
0003130228.tif 000002
【実用新案登録請求の範囲】
【請求項１】
テニスのシングル競技に使用されるネットの全長を三分割した長さを有し、且つダブルス競技におけるネットの全長をも、三分割した長さを呈するように折り込みによって可能とした着色された表示布を、幅中心線から折り曲げてネットの上縁部を頂部から両面を被覆し、複数の適宜所に備えられた係止手段で該ネットに着脱自在に設けたことを特徴とするテニスの練習用表示布。
【請求項２】
テニスのシングルス並びにダブルス競技両方のネット全長を、３分割した長さを呈することを可能とした表示布は３枚用意され、其々が異なる色からなることを特徴とする請求項１記載のテニスの練習用表示布。
【考案の詳細な説明】
【技術分野】
【０００１】  本考案は、テニスの練習を効率的に行うためにネットに取り付けて使用される表示布に関するものである。
【背景技術】
【０００２】    近年、スポーツに対し関心を寄せる中高年が多くなり、殊にテニスに対する関心度合の高まりが顕著である。動機は様々だが、体力的な要素もあって一様に技術の上達がなされる事は無い。特に、全くの初心者に人対し技術上達のポイントを指導するのは苦労すると言われている。
【考案の開示】
【考案が解決しようとする課題】
【０００３】  そこで出願人は、これらの声に耳を傾け公知の従来技術（実用新案登録第１６５７２０１号実公昭６１−９６４８）に改良を加え、ネットに取り付けて練習を効率的に行うためのテニス専用の表示布を提供しようとするものである。
【課題を解決するための手段】
【０００４】  テニスのシングル競技に使用されるネットの全長を三分割した長さを有し、且つダブルス競技におけるネットの全長をも、三分割した長さを呈するように折り込みによって可能とした着色された表示布を、幅中心線から折り曲げてネットの上縁部を頂部から両面を被覆し、複数の適宜所に備えられた係止手段で該ネットに着脱自在に設けたことを特徴とし、また、表示布は３枚用意され、其々が異なる色からなることを特徴とするものである。
【考案の効果】
【０００５】    本考案は以上のような構成を有するものなので、以下の効果を奏するものである。
（１）本考案によれば、シングルス競技にもダブルス競技にも兼用できるので、競技別に用意する必要ないので使い勝手が良い。【０００６】（２）ネットへの取り付けは、該体を折り曲げてネットの上縁部を頂部から両面を被覆し、備えられている例えばスナップやマジックテープ（登録商標）などの面フアスナーによる係止手段で止着するだけの簡便な方法によるものなので、着脱が短時間で済ませられる。【０００７】（３）本考案品はシングルスダブルス両方の競技に使用できるように、各競技ネットの全長を、３分割した長さになるように作られ、且つ其々が異色なので左右と中心部の３方向に区分され、サーブばかりでなく、相手コートの目指す位置にボールコントロールする練習に効果を発揮する。
【考案を実施するための最良の形態】
【０００８】  本考案品は、テニスのネット上縁部頂部から両面を被覆し、ネットを左右と中心部の三区分に表示する着脱自在な３枚から成る区分表示布で、シングルスとダブルス両方のネットの長さに対応できるように固定可能な係止手段を有している。
この固定可能な係止手段は、例えばスナップを用いた実施例や、マジックテープ（登録商標）のような面ファスナーを用いた実施例があるが、何れの方法でも本考案の作用効果に差異は無い。区分表示布はナイロンタフタ生地や綿布などが利用されるが、紫外線などによる劣化防止並びに繰返しの曲折に耐え得る一定の対候性と耐久性を有する品質面の点と、価格面との関係から考え、材料としてはナイロンターポリン生地が最適である。【０００９】  区分表示布はネットを三区分に表示するもので、表示布三枚はそれぞれが異なる色であることが要件であり、その色も明瞭に区別できるものが望ましく、同色の濃淡によるものは避けられ、例えば赤と黒と黄色といったように原色の採用が最適である。【００１０】  本考案品の表示布は、テニスのネット上縁部頂部から両面を被覆する形で取り付けられるものであるから、ダブルスに使用のときは長手方向に沿って、縦幅の中心からくの字形に折り曲げてネットに取り付けられるが、明瞭なラインの表示は必要なく、数回の使用でできる折り目で対応可能となる。また、シングルスのときは、両端から概ね４６ｃｍのところの縦辺を折り曲げて使用する。この使用にあっても、折り曲げ所にラインの表示は同様な理由で必要無い。
【実施例】
【００１１】  本考案を図面に示す実施例に基づき説明すると、図１は本考案に係るテニスの練習用表示布を３枚ネットに取り付けた状態を示したものであって、左右に配された支柱１にネット２が張設され、該ネット２の全長が三分割された長さを呈し、其々が異色の表示布３，４，５がネットの上縁に取り付けられた実施例である。ここで表示布３，４，５は異色ではあるが、その他の長さや幅、係止固定手段などの仕様は全て同一である。【００１２】  図２は図１で示した表示布の内、表示布３を一実施例を代表し、その表面を説明するもので、該布３は、テニスにおいてのダブルス競技で用いられるネット全長１０．９７ｍを三分割した長さの３．６５ｍで、その幅の中心線６で折り曲げられて、ネット２の上縁部を頂部から両面を被覆する形で取り付けられる。【００１３】  表示布３をネットに取り付け固定する係止手段は、例えばマジックテープ（登録商標）等のような面ファスナーによる方法でも差し支えないが、この実施例では、スナップで行っていて、ここで付された符号はＡ，ａ，Ｂ，ｂの四分類が使われ、Ａはスナップの凸を、ａはＡの背面を、ＢはＡの凸が嵌入されるスナップの凹を、ｂはＢの背面を表示している。
次に、Ａ，ａ，Ｂ，ｂの四分類にはその其々に、１，２，３・・・・・のように片端部から長手方向に向け順に数字でその位置と数を示している。【００１４】  図３は図２の背面図である。したがって、図２で、Ａで表示された係止手段のスナップ凸はその背面のａに表示され、以下ａはＡに、Ｂはｂに、ｂはＢの符号で示されている。
本考案品は、シングルス競技でも使用できるように、ネット全長８．２３ｍを三分割した長さの２．７４ｍになるように、長手方向の両端部から４６ｃｍの所で、図２状態でライン７，８から裏側に折り曲げられる。【００１５】  図４は、本考案品がシングルス競技で用いられる場合を示していて、ネット全長８．２３ｍを三分割した長さの２．７４ｍになるように、折曲げライン７，８で図２の裏側に折り曲げた状態を示したものである。
このとき係止固定されるスナップは、ｂ−１とａ−２、ｂ−１１とａ−１１、ｂ−２とａ−６、ｂ−１６とａ−１２の４ケ所で行われる。
実際の使用に当たっては、更に図中符号６で示された折りラインから二つ折りされ、ネットの上縁部を頂部から両面を被覆する形で取り付けられ、係止手段のスナップの対向する、
Ａ−１とＢ−１１、ａ−３とｂ−１３、ａ−４とｂ−１４、Ａ−２とＢ−１２、ａ−５とｂ−１５、の５ケ所でこの表示布は係止固定される。【００１６】  図５は本考案品をダブルス競技に使用する場合を説明するもので、図２の状態で、図中符号６で示された折りラインから二つ折りされ、ネットの上縁部を頂部から両面を被覆する形で取り付けられ、係止手段のスナップで対向する当該表示布をネットに係止固定される。
このとき係止固定されるスナップは、ａ−１とｂ−１２、ａ−３とｂ−１３、ａ−４とｂ−１４、ａ−５とｂ−１５、ａ−７とｂ−１７の５ケ所である。
【産業上の利用可能性】
【００１７】以上説明のように、本考案はテニスにおいてサーブばかりでなく、相手コートの目指す位置にボールをコントロールする練習の効果を上げるため、ネットの左右と中心部を異色な布で三区分表示するもので、表示布はシングルスとダブルスの規定されたネットの長さにも対応できるものであって、製造過程で問題となる点も無く、且つ然したる困難な加工も無く製造上の課題は無い。【００１８】  また、その取り付けは、ネットの上縁部を頂部から両面を被覆する簡単なもので、その上、係止手段もスナップや面ファスナーで対向する当該表示布を係止固定するものなのでその取り扱いも簡便で安価であり、中高年のテニス人口の増加を考えたとき、大いなる需要を見込むことができ産業上の利用可能性は頗る高い。
【図面の簡単な説明】
【００１９】
【図１】テニスの練習に使用される区分本考案の表示布を説明する図である。
【図２】本考案の区分表示布の表面を説明する図である。
【図３】図２の背面図である。
【図４】本考案の区分表示布をシングルスに使用するため図２において、両端よりの縦方向の折ラインより裏側に折り込んだ状態を説明する図である。
【図５】本考案の区分表示布をダブルスに使用するため図２において、長手方向中心の折ラインより折り込んだ状態を説明する図である。
【符号の説明】
【００２０】１支柱      ２ネット      ３，４，５区分表示布      ６長手方向折ライン
７，８縦方向折ライン      Ａスナップ凸      ａＡの裏面      Ｂスナップ凹
ｂＢの裏面
【図１】
0003130228.tif 000003
【図２】
0003130228.tif 000004
【図３】
0003130228.tif 000005
【図４】
0003130228.tif 000006
【図５】
0003130228.tif 000007